(57)【要約】【課題】データを複数に分割して複数のディスク装置に書き込み再生することを効率よく行う。【解決手段】挿抜可能な２台のディスク装置をデータを記録する媒体とする装置で行われるディスク装置の書き込み制御方法であって、接続状態にある２台のディスク装置の容量および書き込み性能を検出し、２台のディスク装置の容量差および書き込み性能差がともに予め定められた範囲内であるかを確認し、２台のディスク装置の容量差および書き込み性能差がともに予め定められた範囲内である場合に、一方のディスク装置は外周から内周に向けて書き込みを行い、他方のディスク装置は内周から外周に向けて書き込みを行うとともに、検出した書き込み性能の比に応じてデータを分割して書き込む。【選択図】図１
2008090414.tif 000002
【特許請求の範囲】
【請求項１】
挿抜可能な２台のディスク装置をデータを記録する媒体として用いる装置で行われるディスク装置の書き込み制御方法であって、
接続状態にある前記２台のディスク装置の容量および書き込み性能を検出するステップと、
前記２台のディスク装置の容量差および書き込み性能差がともに予め定められた範囲内であるかを確認するステップと、
前記２台のディスク装置の容量差および書き込み性能差がともに予め定められた範囲内である場合に、一方のディスク装置は外周から内周に向けて書き込みを行い、他方のディスク装置は内周から外周に向けて書き込みを行うこととするとともに、前記検出した書き込み性能の比に応じて前記データを分割して書き込むステップと、を有することを特徴とするディスク装置の書き込み制御方法。
【請求項２】
請求項１記載のディスク装置の書き込み制御方法において、
前記２台のディスク装置の容量差および書き込み性能差の少なくとも一方が予め定められた範囲内でないことが確認された場合には、現在接続されている２台のデータ用ディスク装置を併用することができない旨の表示を行うことを特徴とするディスク装置の書き込み制御方法。
【請求項３】
挿抜可能な２台のディスク装置をデータを記録する媒体とするディスク書き込み装置であって、
接続状態にある前記２台のディスク装置の容量および書き込み性能を検出し、前記２台のディスク装置の容量差および書き込み性能差がともに予め定められた範囲内であるかを確認し、前記２台のディスク装置の容量差および書き込み性能差がともに予め定められた範囲内である場合に、一方のディスク装置は外周から内周に向けて書き込みを行い、他方のディスク装置は内周から外周に向けて書き込みを行うこととするとともに、前記検出した書き込み性能の比に応じて前記データを分割して書き込む制御部を有することを特徴とするディスク書き込み装置。
【請求項４】
請求項３記載のディスク書き込み装置において、
前記２台のディスク装置の挿抜状態を監視するディスク装置挿抜監視機構を備え、
前記制御部は、前記ディスク装置挿抜監視機構を介してディスク装置の交換状態を検出することを特徴とするディスク書き込み装置。
【請求項５】
請求項３または請求項４記載のディスク書き込み装置において、
接続されている前記２台のディスク装置の容量および書き込み性能を格納するためのシステム用記憶装置を備え、
前記制御部は、１台のディスク装置のみが交換されたことを検出した場合には交換されたディスク装置のみの容量および書き込み性能を検出し、交換されていないディスク装置の容量および書き込み性能については前記システム用記憶装置から読み出してその後の確認動作を行うとともに前記交換されたディスク装置の検出された容量および書き込み性能に基づいて前記システム用記憶装置の格納内容を更新することを特徴とするディスク書き込み装置。
【請求項６】
請求項３ないし請求項５のいずれかに記載のディスク書き込み装置において、
前記制御部は、ディスク装置の最外周および最内周における書き込み性能を実測し、書き込み位置における書き込み性能を実測結果により得られた近似式により求めて前記データの分割を行うことを特徴とするディスク書き込み装置。
【請求項７】
請求項３ないし請求項６のいずれかに記載のディスク書き込み装置において、
表示部を備え、
前記制御部は、前記２台のディスク装置の容量差および書き込み性能差の少なくとも一方が予め定められた範囲内でないことが確認された場合には、現在接続されている２台のデータ用ディスク装置を併用することができない旨の表示を前記表示部に行わせることを特徴とするディスク書き込み装置。
【発明の詳細な説明】
【技術分野】
【０００１】
本発明は、ディスク装置の書き込み制御方法およびディスク書き込み装置に関し、特に、ディスク装置の特性に応じて書き込み制御を行う方法および装置に関する。
【背景技術】
【０００２】
音声を含む画像データを記録再生するシステムに用いられるディスク装置に要求される容量は、画像データの画質向上に伴って年々増加する一方である。このため、複数のディスク装置を使用することとし、一部あるいは全てを交換してディスク装置全体の容量、書き込み読み出しスピードを向上させたり、必要に応じて修理交換等に対応可能なシステムとすることが望ましい。
【０００３】
複数のディスク装置を使用する技術として、特許文献１（特開２０００−２９３３１５号公報）およびに特許文献２（特開２００５−２５０６４４号公報）に開示される技術がある。
【０００４】
特許文献１にはＨＤＤの寿命を平均化し信頼性を向上させて、ＨＤＤの交換回数を減らすディスクアレイ装置を提供することを目的とし、複数のＨＤＤの通電時間の管理を行い、最も通電時間の長いＨＤＤをホットスペアディスクにローテーションすることが開示されている。
【０００５】
特許文献２には、簡易な方法でディスクの寿命を延ばすと共にデータの時間差バックアップを実現することを目的とし、シフト待ち時間が検出される毎に、スタンバイさせられるディスクとデータを書込まれるディスクを１つずつ循環的にシフトすることが開示されている。
【０００６】
特許文献１および特許文献２に開示される技術では、ディスク装置は複数用意されるものの、使用されるディスク装置は１つである。音声を含む画像データを記録再生するシステムでは扱うデータ量が大量かつ高速であることからデータを分割して複数のディスク装置に同時に書き込み、再生を行うことが提案されている。
【０００７】
分割されたデータのディスク型記録再生装置への書き込み制御について、特許文献３（特開平９−１２８８９１号公報）に開示される技術がある。特許文献３には、ディスク装置では内周側が高密度となり外周側が低密度であり、記録密度に応じて記録周波数を変化させた場合には、記録再生位置により一定時間に記録再生されるデータ量が異なることを問題点とし、ディスクの表裏面で記録再生を行うこととし、表裏面のヘッド位置の半径位置の総和量を一定とするとともに、記録データを表裏面のヘッド位置の半径位置に応じて分割することが記載されている。
【特許文献１】特開２０００−２９３３１５号公報
【特許文献２】特開２００５−２５０６４４号公報
【特許文献３】特開平９−１２８８９１号公報
【発明の開示】
【発明が解決しようとする課題】
【０００８】
特許文献１および特許文献２に開示される技術では、複数のディスク装置のうち、１つのディスク装置を使用するものであるため、大量のデータの高速書き込み再生には適さない。
【０００９】
特許文献３に開示される技術では、記録位置によらず、概ね一定のデータ量にて記録再生が行われることとなる。しかしながら、ディスクの表裏面に対して、同時に書き込み、再生を行うことは非常に困難である。同様の動作を複数のディスク装置に対して行う場合には、同じ性能のディスク装置を用意する必要があり、記録再生システムを構成する上での制約が多くなってしまう。汎用的なディスク装置は調達が安易で、コストも有利ではあるが利用者において挿抜可能なフレキシビリティを有しているため、同じ性能のディスク装置が装着され続けられるかの保証ができない。
【００１０】
複数のディスク装置の一部を交換してディスク装置全体の容量を向上するシステムを構築する場合には、各ディスクの容量や性能にバラツキが発生し、特に容量については確実にバラツキが発生することとなるため、特許文献３に開示される技術を適用することはできない。
【００１１】
本発明は上述したような従来の技術が有する問題点に鑑みてなされたものであって、データを複数に分割して複数のディスク装置に書き込み再生することを効率よく行うことのできるディスク装置の書き込み制御方法およびディスク書き込み装置を実現することを目的とする。
【課題を解決するための手段】
【００１２】
本発明のディスク装置の書き込み制御方法は、挿抜可能な２台のディスク装置をデータを記録する媒体として用いる装置で行われるディスク装置の書き込み制御方法であって、
接続状態にある前記２台のディスク装置の容量および書き込み性能を検出するステップと、
前記２台のディスク装置の容量差および書き込み性能差がともに予め定められた範囲内であるかを確認するステップと、
前記２台のディスク装置の容量差および書き込み性能差がともに予め定められた範囲内である場合に、一方のディスク装置は外周から内周に向けて書き込みを行い、他方のディスク装置は内周から外周に向けて書き込みを行うこととするとともに、前記検出した書き込み性能の比に応じて前記データを分割して書き込むステップと、を有することを特徴とする。
【００１３】
この場合、前記２台のディスク装置の容量差および書き込み性能差の少なくとも一方が予め定められた範囲内でないことが確認された場合には、現在接続されている２台のデータ用ディスク装置を併用することができない旨の表示を行うこととしてもよい。
【００１４】
本発明のディスク書き込み装置は、挿抜可能な２台のディスク装置をデータを記録する媒体とするディスク書き込み装置であって、
接続状態にある前記２台のディスク装置の容量および書き込み性能を検出し、前記２台のディスク装置の容量差および書き込み性能差がともに予め定められた範囲内であるかを確認し、前記２台のディスク装置の容量差および書き込み性能差がともに予め定められた範囲内である場合に、一方のディスク装置は外周から内周に向けて書き込みを行い、他方のディスク装置は内周から外周に向けて書き込みを行うこととするとともに、前記検出した書き込み性能の比に応じて前記データを分割して書き込む制御部を有することを特徴とする。
【００１５】
この場合、前記２台のディスク装置の挿抜状態を監視するディスク装置挿抜監視機構を備え、
前記制御部は、前記ディスク装置挿抜監視機構を介してディスク装置の交換状態を検出することとしてもよい。
【００１６】
また、接続されている前記２台のディスク装置の容量および書き込み性能を格納するためのシステム用記憶装置を備え、
前記制御部は、１台のディスク装置のみが交換されたことを検出した場合には交換されたディスク装置のみの容量および書き込み性能を検出し、交換されていないディスク装置の容量および書き込み性能については前記システム用記憶装置から読み出してその後の確認動作を行うとともに前記交換されたディスク装置の検出された容量および書き込み性能に基づいて前記システム用記憶装置の格納内容を更新することとしてもよい。
【００１７】
また、前記制御部は、ディスク装置の最外周および最内周における書き込み性能を実測し、書き込み位置における書き込み性能を実測結果により得られた近似式により求めて前記データの分割を行うこととしてもよい。
【００１８】
また、表示部を備え、
前記制御部は、前記２台のディスク装置の容量差および書き込み性能差の少なくとも一方が予め定められた範囲内でないことが確認された場合には、現在接続されている２台のデータ用ディスク装置を併用することができない旨の表示を前記表示部に行わせることとしてもよい。
【発明の効果】
【００１９】
本発明においては、書き込み性能の比に応じて前記データを分割して書き込むことが行われているため、書き込み速度を向上することができる。
【００２０】
種類の異なる２台のディスク装置を記録媒体として併用する場合、同時に同じデータ量を書き込む場合には２台のディスク装置の容量差が使用されない領域分となるが、上記のようなデータ分割を行う場合には、使用されない領域分は容量差および性能差に応じたものとなる。
【００２１】
本発明においては、データを記録する２台のディスク装置の容量差および性能差が予め定められた範囲内で無い場合には記録が行われることはないので、無駄となる領域を所定以下とすることができる。
【発明を実施するための最良の形態】
【００２２】
次に、本発明の実施例について図面を参照して説明する。
【００２３】
図１は本発明によるディスク書き込み装置２００の一実施例構成を示すブロック図である。
【００２４】
本実施例は、データ保存用のＨＤＤとして２台のＨＤＤを用いるもので、図１には、インターネット１００、本発明によるディスク書き込み装置２００、データ用ＨＤＤ（ハードディスク）３００，４００が示されている。
【００２５】
ディスク書き込み装置２００は、記憶部、制御部、入力部、出力部から構成される一般的なコンピュータシステムの構成を備えるもので、利用者からのキー入力やマウス入力を受け付ける入力部２０１、表示ディスプレイやランプなどからなり、利用者に対する表示を行う表示部２０２、データ入力部として本実施例の場合にはインターネット１００からの画像データを受け付けるネットワークボード２０３、ディスク書き込み装置２００の各部の動作の制御を行う制御回路２０４、書き込み再生データの記憶やＨＤＤを制御する制御プログラム２０６を格納する記憶部２０５、電源投入時にシステムを起動するためのプログラムを格納するシステム用ＨＤＤ２０７、ＨＤＤ（本実施例におけるデータ用ＨＤＤ３００，４００）の挿抜状態および接続されたＨＤＤの特性を測定し、制御回路２０４の制御により各ＨＤＤの書き込み再生動作を実行するＨＤＤ挿抜監視機構２０８から構成されている。
【００２６】
制御回路２０４はＨＤＤ制御プログラム２０６に基づいて制御動作を行う。図２は本実施例の電源投入時からシステム起動までの動作を示すフローチャート、図３はシステム用ＨＤＤ２０７の格納内容を示す図である。
【００２７】
図３に示すように、システム用ＨＤＤ２０７にはＯＳ、アプリケーションプログラム、ＨＤＤ制御プログラムとともに、２台のＨＤＤ（ここでは図１におけるデータ用ＨＤＤ３００，４００をＨＤＤ１，ＨＤＤ２とする）のそれぞれについて、容量、書き込みレートを示す性能値が格納され、さらに、データ用ＨＤＤに要求される容量、性能値の最低レべルが格納されている。
【００２８】
次に、図２を参照して、本実施例の動作について詳細に説明する。
【００２９】
制御回路２０４は、電源が投入されると、ＨＤＤ挿抜監視機構２０８を介して、データ用ＨＤＤが交換されたかを確認する（ステップＳ２０１）。ＨＤＤが交換されたかを検出する。ＨＤＤの交換の検出の方法としては、ＨＤＤ取付け部に挿抜を検知する機構を設けておいてもよいし、個々のＨＤＤが内部に持っている製品名およびシリアル番号をＨＤＤ制御プログラムを通じて読み出し、前回のものと比較することにより検出してもよい。
【００３０】
ステップＳ２０１にてデータ用ＨＤＤが交換されていないことが確認された場合には、現在のシステム用ＨＤＤ２０７の格納内容によるシステム起動が行われる。
【００３１】
ステップＳ２０１にてデータ用ＨＤＤが交換されていることが確認された場合には、交換されたＨＤＤが１台であるか、もしくは２台であるかを確認し（ステップＳ２０２）、１台ならば交換されたＨＤＤについて容量、性能値を測定し、２台ならば両方のＨＤＤについて容量、性能値を測定する。
【００３２】
ステップＳ２０２において、交換されたＨＤＤが１台であることが確認された場合には、交換されたＨＤＤの容量を確認し（ステップＳ２０３）、交換されていないＨＤＤの容量をシステム用ＨＤＤ２０７の格納内容から確認する（ステップＳ２０４）。
【００３３】
次に、交換されたデータ用ＨＤＤの容量がシステム用ＨＤＤ２０７に格納されているデータ用ＨＤＤに要求される容量の最低レべル以下であるかを確認する（ステップＳ２０５）。
【００３４】
ステップＳ２０５において、交換されたデータ用ＨＤＤの容量がシステム用ＨＤＤ２０７に格納されているデータ用ＨＤＤに要求される容量の最低レべル以下であることが確認された場合には、現在接続されている２台のデータ用ＨＤＤを併用することができない旨のアラート表示を表示部２０２に行わせる。交換されたデータ用ＨＤＤの容量がシステム用ＨＤＤ２０７に格納されているデータ用ＨＤＤに要求される容量の最低レべル以下ではないことが確認された場合には、接続されている２台のデータ用ＨＤＤの容量差が１０％以上であるかを確認する（ステップＳ２０６）。
【００３５】
ステップＳ２０６において、接続されている２台のデータ用ＨＤＤの容量差が１０％以上であることが確認された場合には、現在接続されている２台のデータ用ＨＤＤを併用することができない旨のアラート表示を表示部２０２に行わせる。接続されている２台のデータ用ＨＤＤの容量差が１０％以上ではないことが確認された場合には、交換されたデータ用ＨＤＤの性能測定を行い（ステップＳ２０７）、交換されていないＨＤＤの性能値をシステム用ＨＤＤ２０７の格納内容から確認する（ステップＳ２０８）。
【００３６】
次に、交換されたデータ用ＨＤＤの性能がシステム用ＨＤＤ２０７に格納されているデータ用ＨＤＤに要求される性能の最低レべル以下であるかを確認する（ステップＳ２０９）。
【００３７】
ステップＳ２０９において、交換されたデータ用ＨＤＤの性能がシステム用ＨＤＤ２０７に格納されているデータ用ＨＤＤに要求される性能値の最低レべル以下であることが確認された場合には、現在接続されている２台のデータ用ＨＤＤを併用することができない旨のアラート表示を表示部２０２に行わせる。交換されたデータ用ＨＤＤの性能がシステム用ＨＤＤ２０７に格納されているデータ用ＨＤＤに要求される性能値の最低レべル以下ではないことが確認された場合には、接続されている２台のデータ用ＨＤＤの性能を比較する（ステップＳ２１０）。
【００３８】
次に、ステップＳ２１０における性能比較の結果、接続されている２台のデータ用ＨＤＤの性能差が１０％以上であるかを確認する（ステップＳ２１１）。
【００３９】
ステップＳ２１１において、接続されている２台のデータ用ＨＤＤの性能差が１０％以上であることが確認された場合には、現在接続されている２台のデータ用ＨＤＤを併用することができない旨のアラート表示を表示部２０２に行わせる。接続されている２台のデータ用ＨＤＤの性能差が１０％以上ではないことが確認された場合には、各データ用ＨＤＤの書き込み比率を性能に応じて決定し（ステップＳ２１２）、交換されたデータ用ＨＤＤの容量および性能をシステム用ＨＤＤ２０７に書き込み（ステップＳ２１３）、システム用ＨＤＤ２０７による起動を行う。
【００４０】
ステップＳ２０２において、交換されたＨＤＤが２台であることが確認された場合には、交換された２台のＨＤＤの容量を確認し（ステップＳ２１４）、交換された２台のデータ用ＨＤＤの容量がシステム用ＨＤＤ２０７に格納されているデータ用ＨＤＤに要求される容量の最低レべル以下であるかを確認する（ステップＳ２１５）。
【００４１】
ステップＳ２１５において、交換された２台のデータ用ＨＤＤの容量がシステム用ＨＤＤ２０７に格納されているデータ用ＨＤＤに要求される容量の最低レべル以下であることが確認された場合には、現在接続されている２台のデータ用ＨＤＤを併用することができない旨のアラート表示を表示部２０２に行わせる。交換された２台のデータ用ＨＤＤの容量がシステム用ＨＤＤ２０７に格納されているデータ用ＨＤＤに要求される容量の最低レべル以下ではないことが確認された場合には、交換された２台のデータ用ＨＤＤの容量差が１０％以上であるかを確認する（ステップＳ２１６）。
【００４２】
ステップＳ２１６において、交換された２台のデータ用ＨＤＤの容量差が１０％以上であることが確認された場合には、現在接続されている２台のデータ用ＨＤＤを併用することができない旨のアラート表示を表示部２０２に行わせる。交換された２台のデータ用ＨＤＤの容量差が１０％以上ではないことが確認された場合には、交換された２台のデータ用ＨＤＤの性能測定を行う（ステップＳ２１７）。
【００４３】
次に、交換された２台のデータ用ＨＤＤの性能がシステム用ＨＤＤ２０７に格納されているデータ用ＨＤＤに要求される性能の最低レべル以下であるかを確認する（ステップＳ２１８）。
【００４４】
ステップＳ２１８において、交換された２台のデータ用ＨＤＤの性能がシステム用ＨＤＤ２０７に格納されているデータ用ＨＤＤに要求される性能値の最低レべル以下であることが確認された場合には、現在接続されている２台のデータ用ＨＤＤを併用することができない旨のアラート表示を表示部２０２に行わせる。交換された２台のデータ用ＨＤＤの性能がシステム用ＨＤＤ２０７に格納されているデータ用ＨＤＤに要求される性能値の最低レべル以下ではないことが確認された場合には、ステップＳ２１０へ移行し、ステップＳ２１０〜Ｓ２１３の動作を繰り返す。
【００４５】
次に、ステップＳ２０７、Ｓ２１７で行われるＨＤＤの性能の測定およびステップＳ２１２で行われる各データ用ＨＤＤの書き込み比率の決定について説明する。
【００４６】
一般にＨＤＤの書き込み性能は、外周部がもっとも性能が良く、内周に行くほど性能が低下していく傾向が見られる。これは、ＨＤＤが同心円のシリンダに分割され、そのシリンダにほぼ同一の線密度でデータを記録する為である。シリンダはセクタと呼ばれる単位に分割されている。一般にHDDのセクタ管理はLBA番号と呼ばれる通し番号で行われている。ＬＢＡは基本的に外周のセクタから順番に振られており、LBAが小さいエリアへの書き込みほど性能が良く、大きくなるほど性能は低下することとなる。実際に、ＨＤＤ性能を実測すると図４に示すような特性が得られる。
【００４７】
ステップＳ２０７、Ｓ２１７では、HDDの最外周（最高性能）と最内周(最低性能)の書き込み速度を実測する。
【００４８】
実測の結果、最外周での書き込み速度としてＡ Mbpsが得られ、最内周での書き込み速度として、Ｂ Mbpsが得られたとする。
【００４９】
この時のディスクの特性を、半径をｘとし、下記のように一次式による近似を行う。
【００５０】
ｙ＝αｘ＋β
α=（Ｂ−Ａ）／LBA  (LBAはHDDのLBA数)
β＝A
また、二次式による近似としては以下が挙げられる。
【００５１】
HDDは同心円状にほぼ均一な線密度で記録されている為、最外周から内周への連続的な性能を、下記の近似式で表すことが出来る。
【００５２】
Y=αｘ2＋β
α＝(Ｂ−Ａ)／ＬＢＡ2
β＝Ａ
一次式による近似結果を図５に示し、二次式による近似結果を図６に示す。
【００５３】
これら近似式により、各ＬＢＡ値におけるＨＤＤの転送性能を求めることが出来る。このことを利用し、それぞれのＨＤＤへの書き込み比率を変更し、より効率的な書き込みを可能とする。
【００５４】
ステップＳ２１２で行われる各データ用ＨＤＤの書き込み比率の決定アルゴリズムは以下の通りである。
【００５５】
（１）接続されている２台のデータ用ＨＤＤのうち、一方は書き込み領域の外周から、他方は書き込み領域の内周から書き込みを行うこととする。このとき、書き込みレートの高いデータ用ＨＤＤを書き込み領域の外周から書き込むように設定することにより最も高い書き込みレートで書き込みが行われることとなり、このような設定としてもよい。
【００５６】
（２）上記の書き込み位置におけるＨＤＤの性能を算出する。算出には上記の近似式１または近似式２を用いる。この結果得られた、ＨＤＤ１の性能をａ、ＨＤＤ２の性能をｂとする。
【００５７】
（３）性能の比よりそれぞれのＨＤＤに書き込みをする比率を以下により決定する。
【００５８】
ＨＤＤ１書き込み量＝ａ／（ａ＋ｂ）・全体書き込み量
ＨＤＤ２書き込み量＝ｂ／（ａ＋ｂ）・全体書き込み量
ここでの全体書き込み量は図１に示したネットワークボード２０３が受け付けた単位時間毎の画像データであり、制御回路２０４は決定された書き込み比率に応じて画像データを分割し、各データ用ＨＤＤへの書き込みを行う。
【００５９】
上記のように、外周から内周への書き込みを行うＨＤＤと内周から外周への書き込みを行うＨＤＤを組み合わせて使用すると、図７（ａ）に示す特性と図７（ｂ）に示す特性が組み合わされることとなる。これらはＨＤＤを書き込み方向を異ならせたときの特性であり、外周部では３００Ｍｂｐｓでの書き込みレートであり、内周部では１８０Ｍｂｐｓの書き込みレートである。これらを組み合わせて使用することにより、図７（ｃ）に示すように、３８０Ｍｂｐｓ以上での書き込みレートを常に行うことが可能となっている。
【図面の簡単な説明】
【００６０】
【図１】本発明の一実施例の構成を示すブロック図である。
【図２】本発明の実施例の動作を示すフローチャートである。
【図３】図１中のシステム用ＨＤＤ２０７の格納内容を示す図である。
【図４】ＨＤＤ性能の実測による特性を示す図である。
【図５】図４に示した特性の一次式による近似結果示す図である。
【図６】図４に示した特性の二次式による近似結果示す図である。
【図７】（ａ）〜（ｃ）のそれぞれは本発明による書き込みレートを説明するための図である。
【符号の説明】
【００６１】
１００    インターネット
２００    ディスク書き込み装置
２０１    入力部
２０２    表示部
２０３    ネットワークボード
２０４    制御回路
２０５    記憶部
２０６    ＨＤＤ制御プログラム
２０７    システム用ＨＤＤ
２０８    ＨＤＤ挿抜監視機構
３００，４００    データ用ＨＤＤ
【図１】
2008090414.tif 000003
【図２】
2008090414.tif 000004
【図３】
2008090414.tif 000005
【図４】
2008090414.tif 000006
【図５】
2008090414.tif 000007
【図６】
2008090414.tif 000008
【図７】
2008090414.tif 000009